(57)【特許請求の範囲】
【請求項１】
ガイドレールに沿って移動され、前記ガイドレールを保全するための保全液を前記ガイドレールに対して塗布する塗布ユニット
を備え、
前記塗布ユニットは、前記保全液を収容する容器と、前記容器内の前記保全液を浸透させて前記ガイドレールに導く導液部材と、前記導液部材を前記ガイドレールに押し付ける導液部材押付ばねとを有しており、
前記導液部材は、前記容器内で前記保全液に浸漬される浸漬部と、前記ガイドレールに接するレール接触部とを有しており、
前記塗布ユニットは、水平にスライド可能なスライド体と、前記レール接触部に対する前記容器の高さを調整する高さ調整機構とをさらに有しており、
前記容器は、前記高さ調整機構により、前記スライド体に対して上下動可能になっており、
前記高さ調整機構及び前記容器は、前記スライド体と一体に移動可能になっており、
前記導液部材押付ばねは、前記スライド体、前記高さ調整機構及び前記容器を介して、前記導液部材を前記ガイドレールに押し付けるガイドレール保全装置。
【請求項２】
前記塗布ユニットの上方に配置されており、前記塗布ユニットと一体に前記ガイドレールに沿って移動され、前記ガイドレールの表面を清掃する上部清掃ユニット
をさらに備え、
前記上部清掃ユニットは、前記ガイドレールに接する上部スクレーパを有しており、
前記上部スクレーパの先端部の形状は、刃形状となっている請求項１記載のガイドレール保全装置。
【請求項３】
前記塗布ユニットの下方に配置されており、前記塗布ユニットと一体に前記ガイドレールに沿って移動され、前記ガイドレールの表面を清掃する下部清掃ユニット
をさらに備え、
前記下部清掃ユニットは、前記ガイドレールに接する下部スクレーパを有しており、
前記下部スクレーパの先端部の形状は、刃形状となっている請求項１又は請求項２記載のガイドレール保全装置。
【請求項４】
前記容器は、調整用弾性体によって支持されており、
前記調整用弾性体は、前記保全液を含む前記容器の重量が減少することにより、前記高さ調整機構とは独立して、前記容器を上方へ移動させる請求項１から請求項３までのいずれか１項に記載のガイドレール保全装置。
【請求項５】
ガイドレールを保全するための保全液を収容している容器と、前記容器内の前記保全液を浸透させて前記ガイドレールに導く導液部材と、前記導液部材を前記ガイドレールに押し付ける導液部材押付ばねと、水平にスライド可能なスライド体と、前記スライド体に対する前記容器の高さを調整する高さ調整機構とを有しており、前記高さ調整機構及び前記容器が前記スライド体と一体に移動可能になっている塗布ユニットを、前記ガイドレールに沿って移動させ、前記保全液を前記ガイドレールに塗布するガイドレール保全方法であって、
前記スライド体に対する前記容器の高さを調整することによって、前記導液部材の前記ガイドレールに接する部分であるレール接触部に対して、前記容器の高さを調整し、前記ガイドレールに対する前記保全液の供給量を調整する工程と、
前記導液部材押付ばねによって、前記スライド体、前記高さ調整機構及び前記容器を介して、前記導液部材を前記ガイドレールに押し付ける工程と
を含むガイドレール保全方法。
【発明の詳細な説明】
【技術分野】
【０００１】
この発明は、ガイドレールを保全するための保全液をガイドレールに塗布するガイドレール保全装置及びガイドレール保全方法に関するものである。
【背景技術】
【０００２】
従来のエレベータのガイドレール保全装置では、給油タンクに収容された潤滑油が、給油シート及び塗布体を通してガイドレールに塗布される。塗布体は、複数の塗布シートと複数の中間シートとを交互に重ねて構成されている。各塗布シートは、不織布により構成されている（例えば、特許文献１参照）。
【先行技術文献】
【特許文献】
【０００３】
【特許文献１】特許第５６４５３００号公報
【発明の概要】
【発明が解決しようとする課題】
【０００４】
上記のような従来のガイドレール保全装置では、給油タンクから塗布体に供給される潤滑油の単位時間当たりの量を調整することができない。このため、単位時間当たりの給油量が過多になったり不足したりする。【０００５】
例えば、単位時間当たりの給油量が過多の場合、ガイドレールの表面に潤滑油が多く残る。そして、潤滑油がガイドレールの表面で固まり、かごの昇降時の振動を増大させる可能性がある。【０００６】
逆に、単位時間当たりの給油量が不足した場合、ガイドレールの表面に残る潤滑油が不足する。このため、かごの昇降時の振動を増大させたり、ガイドレールに接触する部品の低寿命化を招いたりする可能性がある。【０００７】
この発明は、上記のような課題を解決するためになされたものであり、ガイドレールに対する保全液の単位時間当たりの供給量を容易に調整することができるガイドレール保全装置及びガイドレール保全方法を得ることを目的とする。
【課題を解決するための手段】
【０００８】
この発明に係るガイドレール保全装置は、ガイドレールに沿って移動され、ガイドレールを保全するための保全液をガイドレールに対して塗布する塗布ユニットを備え、塗布ユニットは、保全液を収容する容器と、容器内の保全液を浸透させてガイドレールに導く導液部材とを有しており、導液部材は、容器内で保全液に浸漬される浸漬部と、ガイドレールに接するレール接触部とを有しており、塗布ユニットは、レール接触部に対する容器の高さを調整する高さ調整機構をさらに有している。
この発明に係るガイドレール保全方法は、ガイドレールを保全するための保全液を収容している容器と、容器内の保全液を浸透させてガイドレールに導く導液部材とを有している塗布ユニットを、ガイドレールに沿って移動させ、保全液をガイドレールに塗布する方法であって、導液部材のガイドレールに接する部分であるレール接触部に対して、容器の高さを調整することにより、ガイドレールに対する保全液の供給量を調整する工程を含む。
【発明の効果】
【０００９】
この発明のガイドレール保全装置及びガイドレール保全方法によれば、ガイドレールに対する保全液の単位時間当たりの供給量を容易に調整することができる。
【図面の簡単な説明】
【００１０】
【図１】この発明の実施の形態１によるエレベータを示す構成図である。
【図２】図１のＩＩ−ＩＩ線に沿うかごガイドレールの断面図である。
【図３】図１のガイドレール保全装置の詳細な構成を示す斜視図である。
【図４】図３の第１の清掃装置を示す斜視図である。
【図５】図４の第１の清掃装置をかごガイドレールにセットした状態を示す水平断面図である。
【図６】図５のＶＩ−ＶＩ線に沿う断面図である。
【図７】図３の塗布装置を示す斜視図である。
【図８】図３の塗布装置を図７とは異なる向きで示す斜視図である。
【図９】図７の塗布装置をかごガイドレールにセットした状態を示す平面図である。
【図１０】図７の容器とレール接触部との位置関係を模式的に示す説明図である。
【図１１】図１０の高低差Δｈと、制動面に対する潤滑油の単位時間当たりの供給量Δｘとの関係を示すグラフである。
【図１２】この発明の実施の形態２によるガイドレール保全装置を示す斜視図である。
【図１３】この発明の実施の形態３によるガイドレール保全装置を示す斜視図である。
【発明を実施するための形態】
【００１１】
以下、この発明を実施するための形態について、図面を参照して説明する。
実施の形態１．
図１は、この発明の実施の形態１によるエレベータを示す構成図であり、保守作業中の状態を示している。図１において、昇降路１内には、一対のかごガイドレール２が鉛直に立てて設置されている。各かごガイドレール２は、複数本のレール部材を上下方向に継ぎ合わせて構成されている。また、各かごガイドレール２は、複数のレールブラケット９を介して昇降路壁に対して固定されている。
【００１２】
昇降体であるかご３は、一対のかごガイドレール２間に配置されている。また、かご３は、かごガイドレール２に沿って昇降路１内を昇降する。
【００１３】
かご３の上部には、懸架体４の第１の端部が接続されている。懸架体４としては、複数本のロープ又は複数本のベルトが用いられている。懸架体４の第２の端部には、図示しない釣合おもりが接続されている。かご３及び釣合おもりは、懸架体４により昇降路１内に吊り下げられている。
【００１４】
懸架体４の中間部は、図示しない巻上機の駆動シーブに巻き掛けられている。かご３及び釣合おもりは、駆動シーブを回転させることにより、昇降路１内を昇降する。昇降路１内には、図示しない一対の釣合おもりガイドレールが鉛直に立てて設置されている。釣合おもりは、釣合おもりガイドレールに沿って昇降路１内を昇降する。
【００１５】
かご３の下部には、非常止め装置５が搭載されている。非常止め装置５は、一対のかごガイドレール２を把持することにより、かご３を非常停止させる。
【００１６】
かご３の上部の幅方向両端部とかご３の下部の幅方向両端部とには、かごガイドレール２に接するガイド装置６がそれぞれ取り付けられている。各ガイド装置６としては、スライディングガイドシュー又はローラガイド装置が用いられている。
【００１７】
かご３の下部には、かごガイドレール２を保全するガイドレール保全装置１００が設けられている。ガイドレール保全装置１００は、かご３の下部の一方のガイド装置６に接続されている。図１ではガイドレール保全装置１００を単なるボックスで示しているが、詳細な構成は後述する。
【００１８】
かご３は、ガイドレール保全装置１００の上方に位置しており、ガイドレール保全装置１００をかごガイドレール２に沿って移動させる。
【００１９】
ガイドレール保全装置１００は、昇降路１に設置された状態のかごガイドレール２に対する保守作業を行う際に使用されるもので、通常運転時には撤去される。
【００２０】
図２は、図１のＩＩ−ＩＩ線に沿うかごガイドレール２の断面図である。かごガイドレール２は、ブラケット固定部２ａと、案内部２ｂとを有している。ブラケット固定部２ａは、レールブラケット９に固定される部分である。案内部２ｂは、ブラケット固定部２ａの幅方向中央からかご３側へ直角に突出し、かご３の昇降を案内する。また、案内部２ｂは、かご３の非常停止時に非常止め装置５により把持される。
【００２１】
さらに、案内部２ｂは、互いに対向する一対の制動面２ｃと、先端面２ｄとを有している。先端面２ｄは、案内部２ｂのブラケット固定部２ａとは反対側、即ちかご３側の端面である。一対の制動面２ｃ及び先端面２ｄは、かご３の昇降時に、ガイド装置６が接する案内面として機能する。また、一対の制動面２ｃは、かご３の非常停止時に非常止め装置５が接する面である。
【００２２】
図３は、図１のガイドレール保全装置１００の詳細な構成を示す斜視図である。ガイドレール保全装置１００は、第１の清掃装置１１、第２の清掃装置１２、及び塗布装置１３を有している。即ち、ガイドレール保全装置１００は、２種類、計３つの装置を組み合わせて構成されている。
【００２３】
第１及び第２の清掃装置１１，１２は、かごガイドレール２の表面を清掃する装置である。塗布装置１３は、かごガイドレール２の表面に、保全液としての潤滑油を塗布する装置である。
【００２４】
また、塗布装置１３は、第１の清掃装置１１と第２の清掃装置１２との間に配置されている。第１の清掃装置１１は、塗布装置１３の上に配置されている。第２の清掃装置１２は、塗布装置１３の下に配置されている。
【００２５】
図４は、図３の第１の清掃装置１１を示す斜視図である。また、図５は、図４の第１の清掃装置１１をかごガイドレール２にセットした状態を示す水平断面図である。図６は、図５のＶＩ−ＶＩ線に沿う断面図である。なお、図５は、図６のＶ−Ｖ線に沿う断面を示している。
【００２６】
第２の清掃装置１２の構成は、第１の清掃装置１１と同一である。このため、ここでは、第１の清掃装置１１の構成についてのみ説明する。
【００２７】
第１の清掃装置１１は、平板状の清掃装置フレーム２１、第１の清掃装置ローラ２２、第２の清掃装置ローラ２３、及び清掃ユニット２４を有している。
【００２８】
清掃装置フレーム２１は、ガイド装置６を介してかご３に接続される。また、清掃装置フレーム２１は、第１の清掃装置１１をかごガイドレール２にセットした状態で、先端面２ｄに対向する。
【００２９】
第１及び第２の清掃装置ローラ２２，２３は、清掃装置フレーム２１に回転可能に設けられている。また、第１及び第２の清掃装置ローラ２２，２３は、清掃装置フレーム２１の幅方向の同じ位置で、上下方向に互いに間隔をおいて配置されている。
【００３０】
また、第１の清掃装置ローラ２２は、清掃ユニット２４の上方に配置されている。第２の清掃装置ローラ２３は、清掃ユニット２４の下方に配置されている。
【００３１】
第１の清掃装置１１をかごガイドレール２にセットした状態で、第１及び第２の清掃装置ローラ２２，２３の回転軸は、水平である。また、第１及び第２の清掃装置ローラ２２，２３は、第１の清掃装置１１をかごガイドレール２にセットした状態で、先端面２ｄに接する。
【００３２】
また、第１及び第２の清掃装置ローラ２２，２３は、ガイドレール保全装置１００をかごガイドレール２に沿って移動させることにより、先端面２ｄ上を回転しながら移動する。これにより、第１の清掃装置１１は、かごガイドレール２に対して平行に移動される。
【００３３】
清掃ユニット２４は、第１のプレート２５、第２のプレート２６、第１のスクレーパ２７、第２のスクレーパ２８、第３のスクレーパ２９、第４のスクレーパ３０、及び複数のスクレーパ押付ばね３１を有している。
【００３４】
第１のプレート２５は、清掃装置フレーム２１の幅方向の第１の端部に固定されている。第２のプレート２６は、清掃装置フレーム２１の幅方向の第２の端部に固定されている。第１及び第２のプレート２５，２６は、互いに対向している。
【００３５】
また、第１の清掃装置１１をかごガイドレール２にセットした状態で、第１のプレート２５は一方の制動面２ｃに対向し、第２のプレート２６は他方の制動面２ｃに対向する。
【００３６】
各スクレーパ２７〜３０の先端部の形状は、刃形状となっている。
【００３７】
第１及び第２のスクレーパ２７，２８は、第１のプレート２５に支持されている。第２のスクレーパ２８は、第１のスクレーパ２７の下方に配置されている。第１の清掃装置１１をかごガイドレール２にセットした状態で、第１及び第２のスクレーパ２７，２８の先端部は、一方の制動面２ｃに線接触する。
【００３８】
第３及び第４のスクレーパ２９，３０は、第２のプレート２６に支持されている。第４のスクレーパ３０は、第３のスクレーパ２９の下方に配置されている。第１の清掃装置１１をかごガイドレール２にセットした状態で、第３及び第４のスクレーパ２９，３０の先端部は、他方の制動面２ｃに線接触する。
【００３９】
第１及び第３のスクレーパ２７，２９は、かご３の上昇時に、制動面２ｃ上の異物及び余分な油等をこそげ取る。異物とは、油の塊、綿埃、錆等である。第２及び第４のスクレーパ２８，３０は、かご３の下降時に、制動面２ｃ上の異物及び余分な油等をこそげ取る。
【００４０】
第１及び第３のスクレーパ２７，２９の先端部は、かご３の昇降時の進行方向に対して直角ではなく、直角から傾けた角度で制動面２ｃに接する。具体的には、かご３の上昇時の進行方向に対して、かごガイドレール２のブラケット固定部２ａから遠い側、つまり清掃装置フレーム２１に近い側が、前に出ている。逆に、ブラケット固定部２ａに近い側、つまり清掃装置フレーム２１から遠い側は、後ろに下がっている。
【００４１】
これにより、各スクレーパ２７〜３０に接触した制動面２ｃ上の異物及び余分な油等が、先端面２ｄ側に移動するのが抑制されている。
【００４２】
第２のスクレーパ２８の先端部は、かご３の昇降時の進行方向に直角な方向に対して、第１のスクレーパ２７の先端部とは反対方向へ傾斜している。即ち、かご３の下降時の進行方向に対して、かごガイドレール２のブラケット固定部２ａから遠い側が、前に出ている。逆に、ブラケット固定部２ａに近い側は、後ろに下がっている。
【００４３】
同様に、第４のスクレーパ３０の先端部は、かご３の昇降時の進行方向に直角な方向に対して、第３のスクレーパ２９の先端部とは反対方向へ傾斜している。即ち、かご３の下降時の進行方向に対して、かごガイドレール２のブラケット固定部２ａから遠い側が、前に出ている。逆に、ブラケット固定部２ａに近い側は、後ろに下がっている。
【００４４】
第１のスクレーパ２７は、かごガイドレール２に対して、第３のスクレーパ２９と線対称となっている。同様に、第２のスクレーパ２８は、かごガイドレール２に対して、第４のスクレーパ３０と線対象となっている。
【００４５】
第１の清掃装置１１をかごガイドレール２にセットした状態で、各スクレーパ２７〜３０は、対応する２個のスクレーパ押付ばね３１により、対応する制動面２ｃに押し付けられる。
【００４６】
スクレーパ押付ばね３１の弾性力は、かご３の昇降時に、各スクレーパ２７〜３０が制動面２ｃに常に接触することができる値に設定されている。
【００４７】
スクレーパ押付ばね３１の弾性力が大きいほど、各スクレーパ２７〜３０は制動面２ｃに接触し易くなる。しかし、スクレーパ押付ばね３１の弾性力が大き過ぎると、各スクレーパ２７〜３０が制動面２ｃから受ける摩擦力も大きくなる。このため、各スクレーパ２７〜３０が破損したり、各スクレーパ２７〜３０の寿命が極端に短くなったりする可能性がある。
【００４８】
従って、スクレーパ押付ばね３１の弾性力は、かご３の昇降時に、各スクレーパ２７〜３０が制動面２ｃに常に接触することができる最低限の値よりも、僅かに大きい値に設定するのが望ましい。
【００４９】
実施の形態１の上部清掃ユニットは、第１の清掃装置１１の清掃ユニット２４である。実施の形態１の上部スクレーパは、第１の清掃装置１１の各スクレーパ２７〜３０である。実施の形態１の下部清掃ユニットは、第２の清掃装置１２の清掃ユニット２４である。実施の形態１の下部スクレーパは、第２の清掃装置１２の各スクレーパ２７〜３０である。
【００５０】
図７は、図３の塗布装置１３を示す斜視図である。また、図８は、図３の塗布装置１３を図７とは異なる向きで示す斜視図である。また、図９は、図７の塗布装置１３をかごガイドレール２にセットした状態を示す平面図である。
【００５１】
塗布装置１３は、平板状の塗布装置フレーム４１、第１の塗布装置ローラ４２、第２の塗布装置ローラ４３、及び塗布ユニット４４を有している。
【００５２】
塗布装置フレーム４１は、第１の清掃装置１１の清掃装置フレーム２１に接続される。また、塗布装置フレーム４１には、第２の清掃装置１２の清掃装置フレーム２１が接続される。また、塗布装置フレーム４１は、塗布装置１３をかごガイドレール２にセットした状態で、先端面２ｄに対向する。
【００５３】
第１及び第２の塗布装置ローラ４２，４３は、塗布装置フレーム４１に回転可能に設けられている。第１及び第２の塗布装置ローラ４２，４３は、塗布装置フレーム４１の幅方向の同じ位置で、上下方向に互いに間隔をおいて配置されている。
【００５４】
塗布装置１３をかごガイドレール２にセットした状態で、第１及び第２の塗布装置ローラ４２，４３の回転軸は、水平である。また、第１及び第２の塗布装置ローラ４２，４３は、塗布装置１３をかごガイドレール２にセットした状態で、先端面２ｄに接する。
【００５５】
また、第１及び第２の塗布装置ローラ４２，４３は、ガイドレール保全装置１００をかごガイドレール２に沿って移動させることにより、先端面２ｄ上を回転しながら移動する。これにより、塗布装置１３は、かごガイドレール２に対して平行に移動される。
【００５６】
塗布ユニット４４は、第１の分割ユニット４５及び第２の分割ユニット４６を有している。第１の分割ユニット４５は、一方の制動面２ｃに潤滑油を塗布する。第２の分割ユニット４６は、他方の制動面２ｃに潤滑油を塗布する。
【００５７】
第２の分割ユニット４６は、第１の分割ユニット４５と同様の構成を有している。但し、第２の分割ユニット４６は、第１の分割ユニット４５に対して、線対称に配置されている。
【００５８】
各分割ユニット４５，４６は、一対のガイドシャフト５１、ばね保持プレート５２、一対の導液部材押付ばね５３、スライド体５４、高さ調整機構５５、容器ベース５６、一対の容器５７、一対の導液部材５８、及び導液部材支持体５９を有している。
【００５９】
一対のガイドシャフト５１の軸方向の第１の端部は、塗布装置フレーム４１の側面に固定されている。また、一対のガイドシャフト５１は、上下方向に互いに間隔をおいて、水平に配置されている。ばね保持プレート５２は、一対のガイドシャフト５１の軸方向の第２の端部に固定されている。
【００６０】
一対のガイドシャフト５１は、スライド体５４を貫通している。スライド体５４は、一対のガイドシャフト５１に沿って水平にスライド可能になっている。これにより、一対の導液部材５８は、制動面２ｃに直交する方向へ移動可能になっている。
【００６１】
スライド体５４は、主部５４ａ、第１の平板部５４ｂ、及び第２の平板部５４ｃを有している。一対のガイドシャフト５１は、主部５４ａを貫通している。
【００６２】
塗布装置フレーム４１のかごガイドレール２に対向する面を前面、前面とは反対側の面を背面とすると、第１の平板部５４ｂは、主部５４ａに対して、塗布装置フレーム４１の前面側に配置されている。また、第２の平板部５４ｃは、主部５４ａに対して、塗布装置フレーム４１の背面側に配置されている。
【００６３】
また、第１の平板部５４ｂは、第２の平板部５４ｃよりも、塗布装置フレーム４１の近くまで突出している。
【００６４】
一対の導液部材押付ばね５３は、ばね保持プレート５２と主部５４ａとの間に配置されている。また、一対の導液部材押付ばね５３は、塗布装置１３がかごガイドレール２にセットされた状態で、一対の導液部材５８を制動面２ｃに押し付ける力を発生する。
【００６５】
一対の導液部材押付ばね５３としては、コイルばねが用いられている。各ガイドシャフト５１は、対応する導液部材押付ばね５３を貫通している。
【００６６】
各高さ調整機構５５は、第１の支持シャフト６１、第２の支持シャフト６２、繋ぎ部材６３、及びレバー付きセットカラー６４を有している。
【００６７】
第１の支持シャフト６１は、第１の平板部５４ｂを上下方向に貫通している。第２の支持シャフト６２は、第２の平板部５４ｃを上下方向に貫通している。第１及び第２の支持シャフト６１，６２は、互いに平行に配置されている。
【００６８】
繋ぎ部材６３は、第１の支持シャフト６１の下端部と第２の支持シャフト６２の下端部との間に接続されている。これにより、第１及び第２の支持シャフト６１，６２は、スライド体５４に対して一体に上下動可能になっている。
【００６９】
レバー付きセットカラー６４は、第２の平板部５４ｃと第２の支持シャフト６２との間に設けられている。また、レバー付きセットカラー６４は、第２の平板部５４ｃに固定されている。また、レバー付きセットカラー６４は、レバーを操作することにより、第２の支持シャフト６２をクランプ及びアンクランプすることが可能になっている。
【００７０】
レバー付きセットカラー６４により第２の支持シャフト６２をアンクランプすると、第１及び第２の支持シャフト６１，６２は、スライド体５４に対して上下動可能となる。逆に、レバー付きセットカラー６４により第２の支持シャフト６２をクランプすると、第１及び第２の支持シャフト６１，６２は、スライド体５４に対して固定される。
【００７１】
容器ベース５６は、第１及び第２の支持シャフト６１，６２の上端部に固定されている。塗布装置１３がかごガイドレール２にセットされた状態では、第１及び第２の支持シャフト６１，６２は鉛直であり、容器ベース５６は水平である。
【００７２】
一対の容器５７は、容器ベース５６上に支持されている。一対の容器５７には、潤滑油が収容される。
【００７３】
各導液部材５８は、可撓性を有するロープ状の部材である。また、各導液部材５８は、潤滑油が浸透できる材料により構成されている。各導液部材５８の材料としては、例えば繊維束を用いることができる。繊維束としては、例えば毛糸を束ねたものを用いることができる。
【００７４】
各導液部材５８は、対応する容器５７内の潤滑油を浸透させて制動面２ｃに導く。また、各導液部材５８は、図１０に示す浸漬部５８ａと、レール接触部５８ｂとを有している。この例では、浸漬部５８ａは、導液部材５８の長さ方向の第１の端部であり、レール接触部５８ｂは、導液部材５８の長さ方向の第２の端部である。
【００７５】
浸漬部５８ａは、対応する容器５７内で潤滑油に浸漬される。レール接触部５８ｂは、塗布装置１３がかごガイドレール２にセットされたときに、制動面２ｃに接する。
【００７６】
各分割ユニット４５，４６における一対のレール接触部５８ｂは、かご３の昇降方向に対して垂直な向きに並んだ状態で、対応する制動面２ｃに接する。具体的には、一対のレール接触部５８ｂのうちの一方は、制動面２ｃの中で、ブラケット固定部２ａに近い領域、つまり塗布装置フレーム４１から遠い領域に接する。また、一対のレール接触部５８ｂのうちの他方は、ブラケット固定部２ａから遠い領域、つまり塗布装置フレーム４１に近い領域に接する。
【００７７】
各導液部材支持体５９は、一対の支柱６５と支持板６６とを有している。一対の支柱６５は、第１の平板部５４ｂ上に垂直に立てられている。支持板６６は、一対の支柱６５の上端部に固定されている。各導液部材５８のレール接触部５８ｂは、支持板６６上に載せられている。
【００７８】
容器ベース５６及び一対の容器５７は、塗布装置フレーム４１、スライド体５４、及び導液部材支持体５９に対して、一体に上下動可能になっている。即ち、高さ調整機構５５により、一対のレール接触部５８ｂに対する一対の容器５７の高さを調整することができる。
【００７９】
また、高さ調整機構５５、容器ベース５６、一対の容器５７、一対の導液部材５８、及び導液部材支持体５９は、スライド体５４と一体に、ガイドシャフト５１に沿って移動可能になっている。
【００８０】
塗布装置１３がかごガイドレール２にセットされた状態では、一対の導液部材押付ばね５３の弾性力により、一対のレール接触部５８ｂは制動面２ｃに押し付けられる。これにより、毛糸等の柔軟な材料で構成されているレール接触部５８ｂは、潰されて制動面２ｃに密着する。
【００８１】
導液部材押付ばね５３の弾性力は、レール接触部５８ｂが潰されて制動面２ｃに密着するように設定する必要がある。しかし、弾性力を高くし過ぎると、各導液部材５８の低寿命化を招くため、注意が必要である。
【００８２】
よって、導液部材押付ばね５３の弾性力は、各レール接触部５８ｂが潰されて制動面２ｃに密着する最低限の値よりも僅かに大きくなるように設定することが望ましい。
【００８３】
ここで、図１０は、図７の容器５７とレール接触部５８ｂとの位置関係を模式的に示す説明図である。図１０において、Δｈは、容器５７内の潤滑油の液面６７の高さとレール接触部５８ｂの中心の高さとの高低差である。
【００８４】
高さ調整機構５５により容器５７の高さを変化させた場合、レール接触部５８ｂの位置は変化しないため、高低差Δｈが変化する。そして、高低差Δｈを変化させることにより、導液部材５８から制動面２ｃに供給される潤滑油の単位時間当たりの供給量が変化する。
【００８５】
図１１は、図１０の高低差Δｈと、制動面２ｃに対する潤滑油の単位時間当たりの供給量Δｘとの関係を示すグラフである。図１１に示すように、供給量Δｘは、高低差Δｈに比例する。また、Δｈ≦０のとき、Δｘ＝０となる。
【００８６】
このように、高さ調整機構５５により容器５７の高さを調整することによって、制動面２ｃに対する潤滑油の単位時間当たりの供給量Δｘを容易に調整することができる。また、潤滑油の供給を簡単に停止することもできる。
【００８７】
次に、ガイドレール保全装置１００によるガイドレール保全方法について説明する。実施の形態１の保全方法では、まず、かご３を昇降路１の下部に移動させ、ガイド装置６の下部にガイドレール保全装置１００を取り付ける。
【００８８】
具体的には、まず、ガイド装置６に対して、第１の清掃装置１１を取り付ける。このとき、第１及び第２の清掃装置ローラ２２，２３をかごガイドレール２の先端面２ｄに接触させる。また、各スクレーパ２７〜３０を、対応する制動面２ｃに接触させる。
【００８９】
続いて、第１の清掃装置１１に塗布装置１３を取り付ける。このとき、第１及び第２の塗布装置ローラ４２，４３をかごガイドレール２の先端面２ｄに接触させる。また、各レール接触部５８ｂを、対応する制動面２ｃに接触させる。また、Δｈ≦０としておけば、潤滑油の供給を停止させておくことができ、潤滑油がかごガイドレール２以外の機器に付着するのを防ぐことができる。
【００９０】
この後、塗布装置１３に第２の清掃装置１２を取り付ける。このとき、第１及び第２の清掃装置ローラ２２，２３をかごガイドレール２の先端面２ｄに接触させる。また、各スクレーパ２７〜３０を、対応する制動面２ｃに接触させる。
【００９１】
このようにして、ガイドレール保全装置１００をかごガイドレール２にセットした後、高さ調整機構５５によりΔｈを調整し、かごガイドレール２に対する潤滑油の供給を開始する。即ち、実施の形態１のガイドレール保全方法は、レール接触部５８ｂに対して、容器５７の高さを調整することにより、かごガイドレール２に対する潤滑油の供給量を調整する工程を含んでいる。
【００９２】
次に、最下階と最上階との間でかご３を１往復させる。このときのかご３の速度は、定格速度よりも低速とするのが好ましい。これにより、塗布装置１３がかごガイドレール２に沿って移動され、制動面２ｃに潤滑油が塗布される。また、第１及び第２の清掃装置１１，１２によって、制動面２ｃ上の異物が除去されるとともに、塗布された潤滑油の膜厚が均一化される。
【００９３】
この後、制動面２ｃの目視確認と、制動面２ｃの油膜厚測定とを実施する。制動面２ｃの異物が取り除かれており、かつ油膜厚が規定の範囲内に収まっていれば、保全作業は完了である。
【００９４】
油膜厚が規定値よりも小さい場合、必要に応じて潤滑油を各容器５７に補充した後、かご３をさらに１往復させる。そして、油膜厚を再度測定する。
【００９５】
逆に、油膜厚が規定値よりも大きい場合、高さ調整機構５５で容器５７の高さを変更して潤滑油の供給を止めた状態で、かご３をさらに１往復させる。そして、油膜厚を再度測定する。
【００９６】
これらの工程を、油膜厚が規定の範囲内に収まるまで繰り返す。そして、油膜厚が規定の範囲内に収まったら、保全作業は完了となる。
【００９７】
この後、反対側のかごガイドレール２に対しても、同様の保全方法を実施する。なお、ガイドレール保全装置１００を２台用意し、それぞれのかごガイドレール２に適用してもよい。これにより、一対のかごガイドレール２を同時に保全することができ、作業時間を大幅に短縮することができる。
【００９８】
このようなガイドレール保全装置１００及びガイドレール保全方法では、高さ調整機構５５により、レール接触部５８ｂに対する容器５７の高さを調整することができる。このため、かごガイドレール２に対する潤滑油の単位時間当たりの供給量を容易に調整することができる。
【００９９】
また、清掃ユニット２４が、塗布ユニット４４と一体にかごガイドレール２に沿って移動される。このため、潤滑油の塗布と同時に、制動面２ｃ上の異物を除去するとともに、余分な潤滑油を除去することができる。
【０１００】
また、塗布ユニット４４の上下両方に清掃ユニット２４が配置されているため、制動面２ｃ上の異物の除去と、余分な潤滑油の除去とを効率的に行うことができる。また、ガイドレール保全装置１００の上昇時と下降時との両方で、異物の除去と余分な潤滑油の除去とを効率的に行うことができる。これにより、保全作業の作業時間を短縮することができる。
【０１０１】
また、ガイドレール保全装置１００は、かご３に接続される。このため、ガイドレール保全装置１００を揚重する装置を別途用意する必要がない。また、かごガイドレール２のかご３が走行する領域に、効率的に潤滑油を塗布することができる。また、昇降行程が長いエレベータにおいても、かごガイドレール２のほぼ全長に渡って容易に潤滑油を塗布することができる。
【０１０２】
また、昇降路１内に設置された状態のかごガイドレール２に対して、潤滑油の塗布及び清掃を行うことができ、保全作業を効率的に実施することができる。また、かご３の昇降時に、昇降路１内に作業者がいる必要がない。
【０１０３】
また、塗布装置１３には、第１及び第２の塗布装置ローラ４２，４３が設けられている。このため、塗布装置１３をかごガイドレール２に沿って安定した姿勢でスムーズに移動させることができる。
【０１０４】
また、第１及び第２の清掃装置１１，１２には、それぞれ第１及び第２の清掃装置ローラ２２，２３が設けられている。このめた、第１及び第２の清掃装置１１，１２をかごガイドレール２に沿って安定した姿勢でスムーズに移動させることができる。
【０１０５】
また、第１及び第３のスクレーパ２７，２９と、第２及び第４のスクレーパ２８，３０とは、反対向きに配置されている。このため、異物の除去と余分な潤滑油の除去とを効率的に行うことができる。
【０１０６】
また、各導液部材５８は、導液部材押付ばね５３により、対応する制動面２ｃに押し付けられている。このため、ガイドレール保全装置１００が振動によりかごガイドレール２に対して動いた場合でも、レール接触部５８ｂの制動面２ｃへの接触を維持することができる。このため、制動面２ｃに対して潤滑油を安定して塗布することができる。
【０１０７】
また、各スクレーパ２７〜３０は、スクレーパ押付ばね３１により、対応する制動面２ｃに押し付けられている。このため、ガイドレール保全装置１００が振動によりかごガイドレール２に対して動いた場合でも、各スクレーパ２７〜３０の制動面２ｃへの接触を維持することができる。このため、制動面２ｃを安定して清掃することができる。
【０１０８】
また、第１及び第２の清掃装置１１，１２と塗布装置１３とが切り離し可能になっているため、保管及び運搬が容易である。また、必要に応じて、清掃装置の数を増減させることができる。
【０１０９】
例えば、保全作業前における制動面２ｃの異物の数が多い場合、又は油膜厚が大きい場合、清掃装置の数を４台に増やせば、かご３の１回の運転における清掃回数を倍に増やすことができる。このため、かごガイドレール２の保全作業に必要なかご３の運転回数の増大を抑制することができる。
【０１１０】
実施の形態２．
次に、図１２は、この発明の実施の形態２によるガイドレール保全装置を示す斜視図である。実施の形態２では、実施の形態１における２つの清掃装置フレーム２１と、塗布装置フレーム４１とを一体化した保全装置フレーム７１が用いられている。
【０１１１】
また、先端面２ｄに接するローラとして、第１の保全装置ローラ７２及び第２の保全装置ローラ７３のみが保全装置フレーム７１に設けられている。第１の保全装置ローラ７２は、保全装置フレーム７１の上端部に設けられている。第２の保全装置ローラ７３は、保全装置フレーム７１の下端部に設けられている。
【０１１２】
第１の保全装置ローラ７２は、実施の形態１における第１の清掃装置１１の第１の清掃装置ローラ２２に相当するローラである。第２の保全装置ローラ７３は、実施の形態１における第２の清掃装置１２の第２の清掃装置ローラ２３に相当するローラである。他の構成及び保全方法は、実施の形態１と同様である。
【０１１３】
このような構成によっても、実施の形態１と同様の効果が得られる。また、塗布ユニット４４と上下の清掃ユニット２４とを、共通の保全装置フレーム７１に取り付けたので、ローラの数を低減することができる。また、部品点数の低減により、重量を軽減するとともに、治具コストを削減することができる。
【０１１４】
また、ガイドレール保全装置をかご３に取り付ける際の作業工数を削減することができ、作業時間を短縮することができる。
【０１１５】
実施の形態３．
次に、図１３は、この発明の実施の形態３によるガイドレール保全装置を示す斜視図である。各分割ユニット４５，４６において、容器ベース５６とスライド体５４との間には、一対の調整用弾性体６８が設けられている。各調整用弾性体６８としては、圧縮ばねであるコイルばねが用いられている。
【０１１６】
各調整用弾性体６８には、対応する第１又は第２の支持シャフト６１，６２が貫通している。各分割ユニット４５，４６において、一対の容器５７は、容器ベース５６を介して、一対の調整用弾性体６８によって支持されている。
【０１１７】
一対の調整用弾性体６８は、潤滑油を含む容器５７の重量が減少することにより、高さ調整機構５５とは独立して、容器５７を上方へ移動させる。他の構成及び保全方法は、実施の形態１と同様である。
【０１１８】
このような構成によっても、実施の形態１と同様の効果を得ることができる。
【０１１９】
また、実施の形態１では、容器５７内の潤滑油が制動面２ｃに塗布されていくと、潤滑油の液面６７が下がり、高低差Δｈが小さくなる。これに対して、実施の形態３では、潤滑油の減少に伴い、調整用弾性体６８が伸長して、容器５７が持ち上げられる。このため、高低差Δｈが維持され、制動面２ｃに対する潤滑油の時間当たりの供給量をより安定させることができる。
【０１２０】
なお、調整用弾性体６８の弾性力は、潤滑油の減少に対して、高低差Δｈが維持されるような値に予め設定されていることが望ましい。
【０１２１】
また、調整用弾性体としては、ばねが最も適しているが、ゴム、ウレタン等であってもよい。
【０１２２】
また、調整用弾性体の位置及び個数は、実施の形態３の構成に限定されない。例えば、調整用弾性体としての引張ばねにより容器を上から支持し、潤滑油が減少すると、引張ばねが縮んで容器を引き上げるように構成することも可能である。
【０１２３】
また、実施の形態２のガイドレール保全装置に調整用弾性体を組み合わせてもよい。
【０１２４】
また、実施の形態１〜３では、保全液として潤滑油を用いた。しかし、例えば、かごガイドレールの表面に油の塊があったり、大量の油が付着していたりした場合、スクレーパだけではそれらを十分に落としきれない場合がある。そのような場合、保全液として、アルコール、アセトン等の有機溶剤を用い、かごガイドレールに有機溶剤を塗布してもよい。これにより、油の除去力を飛躍的に向上させることができる。
【０１２５】
また、異なる複数種類の保全液を、ガイドレール保全装置の１回の移動で塗布したり、種類毎にガイドレール保全装置を移動させて塗布したりしてもよい。
【０１２６】
例えば、ガイドレール保全装置の最初の移動時には、容器に有機溶剤を入れ、２回目以降の移動時には、容器に潤滑油を入れてもよい。これにより、かごガイドレールの表面の汚れが多い場合でも、かごガイドレールに均一な油膜を形成することができる。
【０１２７】
また、保全液の種類を保全作業の途中で切り替える場合、容器と導液部材とを予め複数セット分用意しておき、保全液の切替時には、容器と導液部材とのセット毎交換してもよい。これにより、容器の洗浄等の作業をする必要がなくなり、作業時間を短縮することができる。
【０１２８】
また、実施の形態１〜３では、塗布ユニットの上下に清掃ユニットが配置されているが、いずれか一方又は両方を省略してもよい。
【０１２９】
また、各清掃ユニットのスクレーパの数は、４個に限定されない。
【０１３０】
また、実施の形態１〜３では、ガイドレール保全装置をかごに接続したが、昇降路の上部又はかごに設置したウインチ等の揚重装置からガイドレール保全装置を吊り下げてもよい。この場合、揚重装置は、ガイドレール保全装置を移動させる移動装置として機能する。
【０１３１】
また、実施の形態１〜３では、昇降体がかごであり、保全対象がかごガイドレールである場合を示した。しかし、この発明は、昇降体が釣合おもりであり、保全対象が釣合おもりガイドレールである場合にも適用できる。この場合、ガイドレール保全装置は、釣合おもりに接続してもよいし、揚重装置から吊り下げてもよい。
【０１３２】
また、ガイドレール保全装置は、搭載された駆動装置の駆動力でガイドレールに沿って移動する自走式のものであってもよい。
【０１３３】
また、この発明は、機械室を有するエレベータ、機械室レスエレベータ、ダブルデッキエレベータ、ワンシャフトマルチカー方式のエレベータなど、種々のタイプのエレベータに適用できる。ワンシャフトマルチカー方式は、上かごと、上かごの真下に配置された下かごとが、それぞれ独立して共通の昇降路を昇降する方式である。
【０１３４】
また、保全対象となるガイドレールは、エレベータのガイドレールに限定されない。また、この発明は、例えば、斜めに立てられているガイドレールにも適用できる。
【符号の説明】
【０１３５】
２  かごガイドレール、２４  清掃ユニット（上部清掃ユニット、下部清掃ユニット）、２７，２８，２９，３０  スクレーパ（上部スクレーパ、下部スクレーパ）、４４  塗布ユニット、５５  高さ調整機構、５７  容器、５８  導液部材、５８ａ  浸漬部、５８ｂ  レール接触部、６８  調整用弾性体。
【要約】
ガイドレール保全装置において、塗布ユニットは、ガイドレールに沿って移動され、ガイドレールを保全するための保全液をガイドレールに対して塗布する。また、塗布ユニットは、保全液を収容する容器と、容器内の保全液を浸透させてガイドレールに導く導液部材とを有している。導液部材は、容器内で保全液に浸漬される浸漬部と、ガイドレールに接するレール接触部とを有している。また、塗布ユニットは、レール接触部に対する容器の高さを調整する高さ調整機構を有している。【図１】
0006741373.tif 000002
【図２】
0006741373.tif 000003
【図３】
0006741373.tif 000004
【図４】
0006741373.tif 000005
【図５】
0006741373.tif 000006
【図６】
0006741373.tif 000007
【図７】
0006741373.tif 000008
【図８】
0006741373.tif 000009
【図９】
0006741373.tif 000010
【図１０】
0006741373.tif 000011
【図１１】
0006741373.tif 000012
【図１２】
0006741373.tif 000013
【図１３】
0006741373.tif 000014